(57)【特許請求の範囲】
【請求項１】
（ａ）下記一般式（ａ１）で表される陰イオン性界面活性剤［以下、（ａ）成分という］を１．５質量％以上２５質量％以下、（ｂ）下記一般式（ｂ１）で表される陰イオン性界面活性剤［以下、（ｂ）成分という］を０質量％以上２質量％以下、（ｃ）多価脂肪族カルボン酸又はその金属塩［以下、（ｃ）成分という］を含有し、
（ａ）成分／（ｃ）成分の質量比が０．１以上１０以下であり、
縮合リン酸塩の含有量が１質量％以下である、
自動食器洗浄機用固体洗浄剤組成物。
Ｒ１−Ｏ−（ＰＯ）ｍ１−ＳＯ３−Ｍ１            （ａ１）
〔式中、Ｒ１は、炭素数１０のアルキル基又はアルケニル基を示し、ＰＯはプロピレンオキシ基を示し、ｍ１はＰＯの平均付加モル数を示し、０以上１．５以下の数である。Ｍ１は水素原子又は陽イオンを示す。〕
Ｒ２−Ｏ−（ＰＯ）ｍ２−ＳＯ３−Ｍ２            （ｂ１）
〔式中、Ｒ２は、炭素数１２以上１４以下のアルキル基又はアルケニル基を示し、ＰＯはプロピレンオキシ基を示し、ｍ２はＰＯの平均付加モル数を示し、０以上１．５以下の数である。Ｍ２は水素原子又は陽イオンを示す。〕
【請求項２】
（ｃ）成分を３質量％以上６０質量％以下含有する、請求項１記載の自動食器洗浄機用固体洗浄剤組成物。
【請求項３】
さらに（ｄ）無機アルカリ金属塩を１０質量％以上９５質量％以下含有する、請求項１又は２記載の自動食器洗浄機用固体洗浄剤組成物。
【請求項４】
２０℃における０．２質量％水溶液のｐＨが４以上１０以下である、請求項１〜３いずれか記載の自動食器洗浄機用固体洗浄剤組成物。
【発明の詳細な説明】
【技術分野】
【０００１】
本発明は、自動食器洗浄機用固体洗浄剤組成物に関する。
【背景技術】
【０００２】
食器類に付着する汚れとしては、例えば、油汚れ、ご飯粒等のデンプン汚れ、卵等のタンパク汚れ、お茶等の色素汚れ等を挙げることができる。これらの中でも半熟卵に代表される脂質とタンパク質とが複合して乾燥した汚れは、食器に対して強固に固着するため落としにくく、自動食器洗浄機での洗浄では除去するのが困難な汚れとなる。また、油汚れは、洗浄が困難なうえに、食器に対して再付着するという課題がある。
特許文献１には、親水性親油性バランス（ＨＬＢ）が１〜７．０である非イオン界面活性剤（Ａ）を０．１〜１０質量％、炭酸塩及び珪酸塩の少なくとも１種の化合物（Ｂ）を５〜７０質量％、過炭酸塩（Ｃ）を５〜２０質量％含有し、２５℃における０．１質量％水溶液のｐＨが９〜１３である自動食器洗浄機用洗浄剤組成物が開示されている。
特許文献２には、デシル硫酸塩と縮合リン酸塩とを所定の質量比で含有する洗浄剤が開示されている。
【先行技術文献】
【特許文献】
【０００３】
【特許文献１】特開２０１４−１１１６９７号公報
【特許文献２】特開２０１４−０６５８１２号公報
【発明の概要】
【発明が解決しようとする課題】
【０００４】
本発明は、食器に付着したタンパク質と脂質の複合汚れに対する洗浄力（以下、単に洗浄力ともいう）、及び抑泡性に優れた、自動食器洗浄機用固体洗浄剤組成物を提供する。
【課題を解決するための手段】
【０００５】
本発明は、（ａ）下記一般式（ａ１）で表される陰イオン性界面活性剤［以下、（ａ）成分という］を１．５質量％以上２５質量％以下、（ｂ）下記一般式（ｂ１）で表される陰イオン性界面活性剤［以下、（ｂ）成分という］を０質量％以上２質量％以下、（ｃ）多価脂肪族カルボン酸又はその金属塩［以下、（ｃ）成分という］を含有し、
（ａ）成分／（ｃ）成分の質量比が０．１以上１０以下である、
自動食器洗浄機用固体洗浄剤組成物に関する。
Ｒ１−Ｏ−（ＰＯ）ｍ１−ＳＯ３−Ｍ１            （ａ１）
〔式中、Ｒ１は、炭素数１０のアルキル基又はアルケニル基を示し、ＰＯはプロピレンオキシ基を示し、ｍ１はＰＯの平均付加モル数を示し、０以上１．５以下の数である。Ｍ１は水素原子又は陽イオンを示す。〕
Ｒ２−Ｏ−（ＰＯ）ｍ２−ＳＯ３−Ｍ２            （ｂ１）
〔式中、Ｒ２は、炭素数１２以上１４以下のアルキル基又はアルケニル基を示し、ＰＯはプロピレンオキシ基を示し、ｍ２はＰＯの平均付加モル数を示し、０以上１．５以下の数である。Ｍ２は水素原子又は陽イオンを示す。〕
【発明の効果】
【０００６】
本発明によれば、食器に付着したタンパク質と脂質の複合汚れに対する洗浄力、及び抑泡性に優れた、自動食器洗浄機用固体洗浄剤組成物が提供される。
【発明を実施するための形態】
【０００７】
本発明者等は、（ａ）成分と（ｃ）成分とを併用した自動食器洗浄機用固体洗浄剤組成物が、タンパク質と脂質の複合汚れに対する洗浄力が飛躍的に向上することを見出し、更に、これらの効果が（ｂ）成分の含有量を抑制しても得られるため、自動食器洗浄機による洗浄時の抑泡性にも優れることを見出した。
【０００８】
＜（ａ）成分＞
本発明の（ａ）成分は、下記一般式(ａ１)で表される陰イオン性界面活性剤である。
Ｒ１−Ｏ−（ＰＯ）ｍ１−ＳＯ３−Ｍ１      （ａ１）
〔式中、Ｒ１は、炭素数１０のアルキル基又はアルケニル基を示し、ＰＯはプロピレンオキシ基を示し、ｍ１はＰＯの平均付加モル数を示し、０以上１．５以下の数である。Ｍ１は水素原子又は陽イオンを示す。〕
【０００９】
上記一般式（ａ１）において、Ｒ１は、洗浄力の観点から、炭素数１０のアルキル基又はアルケニル基であり、直鎖であっても分岐鎖であってもよい。Ｒ１は、好ましくは直鎖の炭素数１０のアルキル基である。
ｍ１はＰＯの平均付加モル数を示し、０以上であり、洗浄力及び抑泡性の観点から、１．５以下、好ましくは１．０以下、より好ましくは０．７以下、更に好ましくは０．５以下、より更に好ましくは０．３以下、より更に好ましくは０．１以下である。また、ｍ１が０であることも好ましい。
Ｍ１は、水素原子又は陽イオンであり、塩を形成する陽イオンとして、例えば、アルカリ金属イオン、アルカノールアンモニウムイオン、アンモニウムイオン等が挙げられる。アルカリ金属イオンとしては、ナトリウムイオン、カリウムイオン、リチウムイオンが挙げられ、アルカノールアンモニウムイオンとしては、モノエタノールアンモニウムイオン、ジエタノールアンモニウムイオン、トリエタノールアンモニウムイオン等が挙げられる。これらの中では、ナトリウムイオン又はカリウムイオンが好ましい。
【００１０】
（ａ）成分は異なる２種以上を用いてもよい。
【００１１】
尚、前記一般式（ａ１）で表される化合物は、Ｒ１Ｏ−（ＰＯ）ｍ１Ｈで表される原料アルコールを硫酸化することで得られるが、本発明を損なわない限り、Ｒ１Ｏ−（ＰＯ）ｍ１Ｈに、エチレンオキシドをわずかに付加した原料アルコールを用いてもよい。
【００１２】
＜（ｂ）成分＞
本発明の（ｂ）成分は、下記一般式(ｂ１)で表される陰イオン性界面活性剤である。
Ｒ２−Ｏ−（ＰＯ）ｍ２−ＳＯ３−Ｍ２        （ｂ１）
〔式中、Ｒ２は、炭素数１２以上１４以下のアルキル基又はアルケニル基を示し、ＰＯはプロピレンオキシ基を示し、ｍ２はＰＯの平均付加モル数を示し、０以上１．５以下の数である。Ｍ２は水素原子又は陽イオンを示す。〕
【００１３】
上記一般式（ｂ１）において、Ｒ２は、洗浄力及び抑泡性の観点から、炭素数１２以上１４以下のアルキル基又はアルケニル基であり、直鎖であっても分岐鎖であってもよい。Ｒ２は、好ましくは直鎖のアルキル基である。
ｍ２はＰＯの平均付加モル数を示し、０以上であり、洗浄力及び抑泡性の観点から、１．５以下、好ましくは１．０以下、より好ましくは０．７以下、更に好ましくは０．５以下、より更に好ましくは０．３以下、より更に好ましくは０．１以下である。また、ｍ２が０であることも好ましい。
Ｍ２は、水素原子又は陽イオンであり、塩を形成する陽イオンとして、例えば、アルカリ金属イオン、アルカノールアンモニウムイオン、アンモニウムイオン等が挙げられる。アルカリ金属イオンとしては、ナトリウムイオン、カリウムイオン、リチウムイオンが挙げられ、アルカノールアンモニウムイオンとしては、モノエタノールアンモニウムイオン、ジエタノールアンモニウムイオン、トリエタノールアンモニウムイオン等が挙げられる。これらの中では、ナトリウムイオン又はカリウムイオンが好ましい。
【００１４】
（ｂ）成分は異なる２種以上を用いてもよい。
【００１５】
＜（ｃ）成分＞
本発明の（ｃ）成分は、多価脂肪族カルボン酸又はその金属塩である。
多価脂肪族カルボン酸としては、成分は、炭素数３以上６以下の多価脂肪族カルボン酸又はその金属塩が挙げられる。これらの炭素数には、カルボン酸基の炭素も含んでいる。
（ｃ）成分としては、マロン酸、コハク酸、グルタル酸、アジピン酸、リンゴ酸、酒石酸、クエン酸及びこれらの金属塩から選ばれる１種以上の多価脂肪族カルボン酸又はその金属塩が挙げられる。
金属塩は、ナトリウム塩、カリウム塩等のアルカリ金属塩が挙げられる。
（ｃ）成分は、好ましくはコハク酸、リンゴ酸、クエン酸及びこれらの金属塩から選ばれる１種以上の多価脂肪族カルボン酸又はその金属塩であり、より好ましくは、クエン酸又はその金属塩である。
【００１６】
＜自動食器洗浄機用固体洗浄剤組成物の組成等＞
本発明の自動食器洗浄機用固体洗浄剤組成物は、（ａ）成分を、洗浄力の観点から、１．５質量％以上、好ましくは２質量％以上、より好ましくは３質量％以上、更に好ましくは４質量％以上、そして、原料コストの低減及び抑泡性の観点から、２５質量％以下、好ましくは２０質量％以下、より好ましくは１５質量％以下、更に好ましくは１０質量％以下含有する。（ａ）成分の含有量はナトリウム塩換算量を用いる。以下、同じ。
【００１７】
本発明の自動食器洗浄機用固体洗浄剤組成物は、（ｂ）成分を、抑泡性の観点から、０質量％以上２質量％以下、好ましくは１．５質量％以下、より好ましくは１質量％以下、更に好ましくは０．５質量％以下、更により好ましくは０．１質量％以下、更により好ましくは実質０質量％、更により好ましくは０質量％含有する。
（ｂ）成分の含有量はナトリウム塩換算量を用いる。以下、同じ。
【００１８】
本発明の自動食器洗浄機用固体洗浄剤組成物は、（ｃ）成分を、洗浄力の観点から、好ましくは３質量％以上、より好ましくは５質量％以上、更に好ましくは１０質量％以上、更により好ましくは１５質量％以上、そして、同様の観点から、好ましくは６０質量％以下、より好ましくは５０質量％以下、更に好ましくは４０質量％以下、更により好ましくは３０質量％以下含有する。（ｃ）成分の含有量は、酸換算量を用いる。以下、同じ。
【００１９】
本発明の自動食器洗浄機用固体洗浄剤組成物は、（ａ）成分の含有量と（ｃ）成分の含有量との質量比である、（ａ）成分／（ｃ）成分の質量比が、洗浄力の観点から、０．１以上、好ましくは０．１５以上、より好ましくは０．２以上、そして、同様の観点から、１０以下、好ましくは５以下、より好ましくは３以下、更に好ましくは２以下、更により好ましくは１以下、更により好ましくは０．８以下である。
【００２０】
本発明の自動食器洗浄機用固体洗浄剤組成物は、さらに（ｄ）無機アルカリ金属塩［以下、（ｄ）成分という］を含有することが好ましい。
（ｄ）成分は、炭酸水素ナトリウム、炭酸水素カリウム、硫酸ナトリウム、及び硫酸カリウムから選ばれる１種又は２種以上の化合物が好ましい。
本発明の自動食器洗浄機用固体洗浄剤組成物は、（ｄ）成分を、固体洗浄剤の製剤化の観点から、好ましくは１０質量％以上、より好ましくは２０質量％以上、更に好ましくは３０質量％以上、更により好ましくは４０質量％以上、そして、洗浄性の観点から、好ましくは９５質量％以下、より好ましくは９０質量％以下、更に好ましくは８０質量％以下含有する。
ここで（ｄ）成分は、後述する縮合リン酸のアルカリ金属塩を除く。
【００２１】
本発明の自動食器洗浄機用固体洗浄剤組成物は、２０℃における０．２質量％水溶液のｐＨが、洗浄力の観点から、好ましくは４以上、より好ましくは４．５以上、更に好ましくは５以上、更に好ましくは５．５以上であり、そして、アルミニウムの変色抑制及び抑泡性の観点から、好ましくは１０以下、より好ましくは９以下、更に好ましくは８以下、更に好ましくは７以下である。水溶液はイオン交換水で調製する。
【００２２】
本発明の自動食器洗浄機用固体洗浄剤組成物は、縮合リン酸塩の含有量が、好ましくは５質量％以下、より好ましくは３質量％以下、更に好ましくは１質量％以下、そして、好ましくは０質量％以上、更により好ましくは実質０質量％、更により好ましくは０質量％である。本発明では、縮合リン酸塩の含有量をこのような範囲としても、タンパク質と脂質の複合汚れに対する洗浄力に優れた自動食器洗浄機用固体洗浄剤組成物が得られる。そのため、富栄養化を抑制する処方に有利である。
ここで、縮合リン酸塩は、例えば、ピロリン酸、トリポリリン酸、テトラポリリン酸、ペンタポリリン酸、トリメタリン酸、テトラメタリン酸、及びヘキサメタリン酸から選ばれる縮合リン酸の塩が挙げられる。縮合リン酸塩の対イオンとしては、例えば、ナトリウム、カリウム等のアルカリ金属等が挙げられる。本発明では、メタリン酸塩、及びポリリン酸塩から選ばれる縮合リン酸塩、更にヘキサメタリン酸塩の含有量が、前記範囲であること好ましい。
【００２３】
本発明の自動食器洗浄機用固体洗浄剤組成物は、粉末、錠剤など何れでもよいが、粉末洗浄剤組成物であることが好ましい。粉末洗浄剤組成物を製造する方法は、特に限られるものではなく、各粉末成分を混合してもよく、各粉末成分を造粒してもよい。例えば押し出し造粒法、圧縮造粒法、溶融造粒法、噴霧乾燥造粒法、流動層造粒法、破砕造粒法、撹拌造粒法、液晶造粒法、真空凍結乾燥造粒法、ドライ中和造粒法などが挙げられ、これらの製造方法を単一または組み合わせて使用しても良い。
嵩密度は、好ましくは２００ｇ／Ｌ以上、より好ましくは３００ｇ／Ｌ以上、より好ましくは６００ｇ／Ｌ以上であり、そして、好ましくは１３００ｇ／Ｌ以下である。また、平均粒径は、好ましくは５０μｍ以上、より好ましくは１００μｍ以上であり、さらに好ましくは１５０μｍ以上であり、好ましくは５００μｍ以下であり、４００μｍ以下がより好ましく、３００μｍ以下がより好ましい。
【００２４】
本発明の自動食器洗浄機用固体洗浄剤組成物には、本発明の目的を損なわない範囲で、溶剤、ハイドロトロープ剤、分散剤、ｐＨ調整剤、増粘剤、粘度調整剤、香料、着色剤、酸化防止剤、防腐剤、抑泡剤、漂白剤、漂白活性化剤などの成分（ただし、（ａ）〜（ｄ）成分に該当しないもの）を配合することができる。
【００２５】
本発明の自動食器洗浄機用固体洗浄剤組成物は、食器洗浄機に用いることができる。更に業務用食器洗浄機による洗浄に好適に用いられる。なお、食器には、調理器具、洗浄器具、保存容器などが含まれる。
食器洗浄機、更に業務用食器洗浄機による洗浄の際には、本発明の自動食器洗浄機用固体洗浄剤組成物は、水と混合された洗浄液として用いられる。例えば、自動食器洗浄機の専用ホッパーに充填された組成物に、水や温水をスプレーやシャワーなどで噴霧して、前記組成物と水とを混合した洗浄液を調製し、該洗浄液が自動食器洗浄機内部に供給される。
【００２６】
本発明の自動食器洗浄機用固体洗浄剤組成物から調製された洗浄液は、経済性の観点から、通常、自動洗浄機に備わる収容タンクにおいて一定の濃度に維持されて調製されることが好ましい。
【００２７】
本発明により、本発明の自動食器洗浄機用固体洗浄剤組成物を水で３２０倍（質量比、以下同様）以上、７７０倍以下に希釈してなる自動洗浄機用洗浄液、及び該洗浄液を用いて自動洗浄機により食器を洗浄する洗浄方法が提供される。この洗浄方法では、本発明の自動食器洗浄機用固体洗浄剤組成物を水で３２０倍以上、７７０倍以下に希釈して自動洗浄機用洗浄液を調製するステップ、及び該洗浄液を用いて食器洗浄機、更に自動食器洗浄機により食器を洗浄するステップを含んでよい。本発明の自動食器洗浄機用固体洗浄剤組成物の使用時における希釈倍率は、好ましくは７７０倍（質量比、以下同様）以下、より好ましくは７００倍以下、更に好ましくは６００倍以下、更に好ましくは５５０倍以下、更に好ましくは５３０倍以下であり、そして、好ましくは３２０倍以上、より好ましくは４００倍以上、更に好ましくは４５０倍以上、更に好ましくは４７０倍以上である。
【００２８】
本発明の自動食器洗浄機用固体洗浄剤組成物の使用時における洗浄液中の濃度は、経済性、洗浄性の観点から、好ましくは０．１３質量％以上、より好ましくは０．１４質量％以上、更に好ましくは０．１７質量％以上、更に好ましくは０．１８質量％以上、更に好ましくは０．１９質量％以上であり、そして、同様の観点から、好ましくは０．３１質量％以下、より好ましくは０．２５質量％以下、更に好ましくは０．２２質量％以下、更に好ましくは０．２１質量％以下である。
【００２９】
また、洗浄時間は、洗浄性の観点から、好ましくは１０秒以上、より好ましくは２０秒以上、更に好ましくは３０秒以上であり、そして、生産性及び経済性の観点から、好ましくは３分以下、より好ましくは２分以下、更に好ましくは１分以下である。
【００３０】
洗浄液の洗浄温度は、生産性及び洗浄性の観点から、好ましくは４０℃以上、より好ましくは５０℃以上であり、そして、洗浄性の観点から、好ましくは８０℃以下、より好ましくは７０℃以下である。
食器は洗浄された後、通常、同じ食器洗浄機、更に自動食器洗浄機にて速やかに、水、温水ないし熱水、例えば、好ましくは４０℃以上、より好ましくは６０℃以上、そして、好ましくは８０℃以下の熱水で、５分以上４０分以下濯ぎが行われる。
【００３１】
食器洗浄機では、通常、洗浄液はポンプで循環させて繰り返し使用される。
【実施例】
【００３２】
表１に示す自動食器洗浄機用固体洗浄剤組成物を調製し、以下の項目について評価を行った。結果を表１に示す。表１の自動食器洗浄機用固体洗浄剤組成物は、常法により調製した。即ち、（ａ）成分、（ｂ）成分（ｃ）成分及び（ｄ）成分の粉体を混合して調製した。
【００３３】
＜評価方法＞
（１）タンパク質／脂質複合汚れの洗浄力
卵黄取り分け器を用いて卵白を除いた卵黄をよく溶いた上で、卵黄２ｇを陶器大皿（直径２３ｃｍ）に中心から直径１０ｃｍの円の大きさとなるように塗りつけ、そのまま１日乾燥させてタンパク質／脂質複合汚れが付着した陶器大皿を作製した。前記汚れが付着した陶器大皿を複数作成した。表１に示す自動食器洗浄機用固体洗浄剤組成物を、０．２質量％水溶液となるように水道水（３°ＤＨ）を用いて溶解し、洗浄液とした。この洗浄液と上記汚れが付着した陶器大皿２枚とを用いて、卓上式食洗機（Ｐａｎａｓｏｎｉｃ株式会社製  ＮＰ−ＴＲ３）の標準コース（洗浄時間１９分間、洗浄温度上限５６℃）で洗浄を行い、下記の判定基準で評価を行った。汚れを塗り付けた陶器大皿２枚の評価結果の平均値を求め、これを表に示した。
＊洗浄力の判定基準
４：完全に洗浄されている（汚れが全く残っていない）
３：ほとんど洗浄されている（数点の小さな黄色いスポットが観察、許容範囲内）
２：少し汚れが残っている（多数の黄色いスポットが観察される、許容範囲外）
１：大部分汚れが残っている（面で汚れが残っている）
【００３４】
（２）抑泡性
卓上式食洗機（Panasonic株式会社製  NP-TR3）に、表１に示す自動食器洗浄機用固体洗浄剤組成物６ｇを投入後、水道水を用いて、標準コースで洗浄を開始し、２０分後の泡の高さを測定した。泡の高さは洗浄機内部の排水口を基準として発生した泡の高さを測定した。泡の高さは、数値が低いほど、抑泡性に優れている。この評価では、泡の高さは、７ｃｍ以下が好ましく、６ｃｍ以下がより好ましく、５ｃｍ以下が更に好ましく、４ｃｍ以下がより更に好ましく、３．５ｃｍ以下がより更に好ましい。
【００３５】
（３）浸漬時におけるアルミニウムの外観変化
表１に示す自動食器洗浄機用固体洗浄剤組成物からイオン交換水で０．２質量％水溶液を作製し、アルミニウム製のテストピース（株式会社エンジニアリングテストサービス製、２０ｍｍ×５０ｍｍ×１ｍｍを１２時間（２５℃）浸漬後、イオン交換水で軽くすすぎ、よく乾燥させた状態にして目視評価を行い、下記の判定基準で評価を行った。
＊外観変化の判定基準
４：外観に変化なし
３：浸漬していた部分がわずかに変色しているが、許容レベルである
２：浸漬していた部分に変色が認められる
１：浸漬していた部分に著しい変色が認められる
【００３６】
【表１】
0006614956.tif 000002
【００３７】
表中の成分は以下のものである。（ｃ）の含有量は、酸換算値を用いた。
（ａ）成分
・デシル硫酸ナトリウム：関東化学株式会社製、一般式（ａ１）中、Ｒ１が炭素数１０の直鎖アルキル基、ｍ１が０、Ｍ１がナトリウムイオンである陰イオン性界面活性剤
【００３８】
（ｂ）成分
・ドデシル硫酸ナトリウム：関東化学株式会社製、一般式（ｂ１）中、Ｒ２が炭素数１２の直鎖アルキル基、ｍ２が０、Ｍ２がナトリウムイオンである陰イオン性界面活性剤
【００３９】
（ｃ）成分
・クエン酸：関東化学株式会社製、試薬特級
・クエン酸３Ｎａ・２水和物：クエン酸３ナトリウム・２水和物、関東化学株式会社製、試薬特級
【００４０】
（ｄ）成分
・硫酸ナトリウム：関東化学株式会社製、試薬特級
【００４１】
本発明の実施例は、比較例と比較して、洗浄力と抑泡性のバランスに優れることがわかる。
実施例２〜４の中では、（ａ）成分／（ｃ）成分の質量比が０．３である実施例２が洗浄力により優れることがわかる。また、比較例２のように、（ａ）成分の含有量が本発明の範囲外であると、（ａ）成分／（ｃ）成分の質量比を０．３にしても良好な洗浄力は得られないことがわかる。
実施例２、５、７、９を比較すると、（ａ）成分の含有量が、５質量％又は７質量％である、実施例２、５が、洗浄力により優れ、抑泡性とのバランスによりに優れることがわかる。